(57)【要約】【課題】  ＩＰ通信に必要なＩＰアドレスが不明となった場合でも、外部ヒューマンインタフェース装置との間で相互通信を即時に開始することのできるディジタル形保護／制御装置を提供する【解決手段】  任意に設定したＩＰアドレス情報５が不明となった場合、操作者がスイッチ部９を操作することにより、第１のメモリ６のＩＰアドレスリセット操作情報４を書き換える。その後、ディジタル形保護／制御装置Ａを電源活殺または再起動することにより、ＩＰ通信機能部３は第２のメモリ７に記憶した外部接続用ＩＰアドレス情報をＩＰ通信用のＩＰアドレス情報とし、通信を開始可能な状態に移行する。【選択図】        図１
2011091524.tif 000002
【特許請求の範囲】
【請求項１】
ディジタル演算処理装置を用いて電力系統の保護又は制御を行うディジタル形保護／制御装置において、インターネットプロトコル通信網を介して外部ヒューマンインタフェース装置と相互通信を行うＩＰ通信機能部と、前記外部ヒューマンインタフェース用としてユーザが任意に設定可能なＩＰアドレスおよびＩＰアドレスのリセット情報を記憶する第１のメモリと、前記リセット情報が書換えられた場合、第１のメモリに記憶したＩＰアドレスに代えて前記外部ヒューマンインタフェース装置と相互通信を行う固定ＩＰアドレスを記憶する第２のメモリと、操作部の操作に応じて前記第１のメモリのリセット情報を書き換えるＩＰアドレスリセット処理部を備えて構成したことを特徴とするディジタル形保護／制御装置。
【発明の詳細な説明】
【技術分野】
【０００１】
本発明は、ディジタル形保護／制御装置毎に設定され、外部ヒューマンインタフェース装置との間で相互通信するための任意に設定可能なＩＰアドレスが不明となった場合でも、予め設定してある固定のＩＰアドレスを利用して、外部ヒューマンインタフェース装置からディジタル形保護／制御装置にＩＰ通信網を介して通信を開始することのできる機能を具備したディジタル形保護／制御装置に関する。
【背景技術】
【０００２】
従来から、配電用変電所の機器や母線、配電線の監視、制御、保護を行うディジタル形保護／制御装置はよく知られている（特許文献１参照）。ディジタル形制御／保護装置は、パーソナルコンピュータや専用の可搬型のツール（以下、外部ツールという）との間で情報伝達するためにインターネットプロトコル（以下、ＩＰと記載する）通信機能部を備えている。
【先行技術文献】
【特許文献】
【０００３】
【特許文献１】特開２００３−７９０７２号公報
【０００４】
ＩＰ通信機能部には、その内部のメモリにディジタル形保護／制御装置に固有のＩＰアドレスを記憶しており、各ディジタル形保護／制御装置は、この固有ＩＰアドレスを用いて、外部ツールとの間で、ＩＰ通信網を介して相互通信を行う。
【０００５】
前記外部ツールは、ディジタル形保護／制御装置の保護／制御操作や動作内容あるいは運用状態の表示をし、また、前記固有のＩＰアドレスの設定や表示をすることができる。
【０００６】
そして、前記保護／制御装置に固有のＩＰアドレス情報を任意のアドレスに書き換える場合、以下に記す方法が従来から知られている。
【０００７】
まず、外部ツールの操作者が、書き換え対象となるディジタル形保護／制御装置に固有のＩＰアドレスの初期値を把握する。その上で、ＩＰ通信網を介してディジタル形保護／制御装置にＩＰアドレスの取得要求を送信する。
【０００８】
これを受信したディジタル形保護／制御装置は、外部ツールに対し固有に設定されたＩＰアドレス（この場合は初期値）を送信する。外部ツールは、受信したＩＰアドレス（初期値）をモニタに表示する。
【０００９】
外部ツールの操作者は、モニタに表示されたＩＰアドレス（初期値）を所定のアドレス変更手順に従って、任意の値に書き換えた後、この情報（書換え情報）を再び、ディジタル形保護／制御装置に送信し、当該ディジタル形保護／制御装置の内部メモリに記憶されたＩＰアドレス（初期値）の書換え要求を行う。
【００１０】
ディジタル形保護／制御装置は、この要求に応じて内部メモリに記憶されたＩＰアドレス（初期値）を外部ツールの操作者が任意に設定したＩＰアドレスに書き換えた後、ＩＰ通信網を介して、再度、変更後のＩＰアドレスを外部ツールに送信する。
【００１１】
外部ツールは、受信した変更後のＩＰアドレスを当該ディジタル形保護／制御装置に固有のＩＰアドレスとして管理し、以後、その保護／制御操作や動作内容あるいは運用状態を取得等する場合に利用する。
【発明の概要】
【発明が解決しようとする課題】
【００１２】
然るに、人為的なミス等により前記ＩＰアドレスが不明となった場合には、外部ツールにおいて通信対象のディジタル形保護／制御装置を特定できないため、外部ツールとディジタル形保護／制御装置の間で相互通信をすることが不可能となり、保護／制御操作や保護制御情報および系統情報の確認等が行えなくなってしまう。
【００１３】
このような場合、ディジタル形保護／制御装置本体の操作部を直接操作して、予め決められたＩＰアドレスに一時的に変更する緊急措置が必要であったが、当該操作は煩雑であり、作業者の負担も大きく、操作者がＩＰアドレスを誤入力する問題も危惧される。
【００１４】
誤入力を防止するため、上記特許文献１記載の発明のように、ディジタル形保護／制御装置に前面表示器を設け、該表示器にディジタル形保護／制御装置に固有のＩＰアドレスを表示し、表示されたＩＰアドレスを操作者が操作部を利用して手入力することでＩＰアドレスを再設定することも考えられるが、このような表示器を別途備えることは製品コストの上昇を招来し、好ましくない。
【００１５】
そこで、本発明は、ディジタル形保護／制御装置に固有のＩＰアドレスが不明となった場合においても、外部ツールとの間で相互通信が不能になることを防止し、迅速に通信を再開することのできるディジタル形保護／制御装置を提供することを目的とする。
【課題を解決するための手段】
【００１６】
請求項１記載の発明は、ディジタル演算処理装置を用いて電力系統の保護又は制御を行うディジタル形保護／制御装置において、インターネットプロトコル通信網を介して外部ヒューマンインタフェース装置と相互通信を行うＩＰ通信機能部と、前記外部ヒューマンインタフェース用としてユーザが任意に設定可能なＩＰアドレスおよびＩＰアドレスのリセット情報を記憶する第１のメモリと、前記リセット情報が書換えられた場合、第１のメモリに記憶したＩＰアドレスに代えて前記外部ヒューマンインタフェース装置と相互通信を行う固定ＩＰアドレスを記憶する第２のメモリと、操作部の操作に応じて前記第１のメモリのリセット情報を書き換えるＩＰアドレスリセット処理部を備えて構成したことを特徴とする。
【発明の効果】
【００１７】
請求項１記載の発明によれば、ディジタル形保護／制御装置に固有のＩＰアドレスが不明となった場合でも、操作者は当該保護／制御装置本体の操作部に備えたＩＰアドレスリセットスイッチを操作することにより、固有の任意ＩＰアドレスを記憶したメモリとは別のメモリに記憶させた固定ＩＰアドレスを利用して、外部ツール（外部ヒューマンインタフェース装置）と相互通信することが可能となり、緊急措置に対する操作者負担を飛躍的に減少させることができる。
【００１８】
また、請求項１記載の発明によれば、ディジタル形保護／制御装置本体にＩＰアドレスを表示する表示器を別途備える必要はないので、製品コストの上昇を抑制できるとともに、当該表示器に表示された固有のＩＰアドレスを入力する際の操作者による誤入力を確実に防止することができる。
【図面の簡単な説明】
【００１９】
【図１】本発明に係るディジタル形保護／制御装置の構成を示すブロック図である。
【発明を実施するための形態】
【００２０】
以下、本発明の実施の形態について図１を用いて説明する。図１は本発明に係るディジタル形保護／制御装置Ａの構成を示すブロック図である。
【００２１】
ディジタル形保護／制御装置Ａ（Ａ１，Ａ２，…）は、例えば、イーサネット（登録商標）ＬＡＮ等の通信媒体（ＩＰ通信網）１に接続されて、パーソナルコンピュータ等からなる外部ヒューマンインタフェース装置２と相互通信可能に設置されている。
【００２２】
当該保護／制御装置Ａには、ＩＰ通信機能部３と、ＩＰアドレスリセット情報４および外部接続用の任意ＩＰアドレス情報５を記憶する第１のメモリ６と、外部接続用の固定ＩＰアドレス情報７を記憶する第２のメモリ８、および、操作者が手動操作可能なスイッチ部９と、当該スイッチ部９の操作に応じて前記ＩＰアドレスリセット情報４を書き換えるＩＰアドレス書換え処理部１０を備えて構成されている。また、各構成要素３，６，８，１０は相互のデータ転送を行うためにシステムバス１１によって接続されている。
【００２３】
次に、図１に示すディジタル形保護／制御装置Ａの動作について説明する。ディジタル形保護／制御装置Ａを起動すると、各構成要素３，６，８，１０は各々の初期化処理を実行し、相互にデータ転送が可能な状態へ移行する。そして、第１のメモリ６に予め記憶された初期ＩＰアドレスはＩＰ通信機能部３に転送され、ＩＰ通信機能部３は、転送されたＩＰアドレス（初期値）をＩＰ通信網を介して使用するＩＰアドレス情報とし、外部ヒューマンインタフェース装置２との通信待ち状態へ移行する。
【００２４】
一方、外部ヒューマンインタフェース装置２自体にも、対ディジタル形保護／制御装置Ａ用のＩＰアドレス情報が設定されており、互いのＩＰアドレス情報を指定することにより、１対１で相互にＩＰ通信が可能となる。
【００２５】
外部ヒューマンインタフェース装置２によって、ディジタル形保護／制御装置Ａの前記ＩＰアドレス（初期値）を任意のＩＰアドレスに変更する場合は、操作者が所定のアドレス変更手順を実行することにより、ＩＰ通信網１を介してディジタル形保護／制御装置Ａの第１のメモリに記憶されたＩＰアドレス（初期値）を任意値に書き換えることができる。
【００２６】
書き換えたＩＰアドレス情報は、ディジタル形保護／制御装置Ａから再びＩＰ通信網を介して外部ヒューマンインタフェース装置２に送信され、当該装置２において変更後のＩＰアドレス情報として管理される。
【００２７】
したがって、外部ヒューマンインタフェース装置２の操作者は、各ディジタル形保護／制御装置Ａに固有の任意ＩＰアドレス情報５を正確に認識することができ、このＩＰアドレス情報５に基づき、各ディジタル形保護／制御装置Ａと１対１で通信を要求・確立して、ディジタル形保護／制御装置Ａの動作内容や運用状態の取得、保護制御の設定等を要求することが可能となる。
【００２８】
この要求をＩＰ通信機能部３で受信したディジタル形保護／制御装置Ａは、要求された保護制御動作を処理実行し、或いは、自らが管理する動作内容や運用状態に関する情報をＩＰ通信機能部３によってＩＰ通信網を介して外部ヒューマンインタフェース装置２へ返信する。
【００２９】
これにより、外部ヒューマンインタフェース装置２は、要求した保護制御動作を実行し、または、取得要求した情報を取得でき、自らのモニタを表示更新することにより、操作者は個別のディジタル形保護／制御装置Ａの動作内容や運用状態を確認することができる。
【００３０】
このように、外部ヒューマンインタフェース装置２がディジタル形保護／制御装置Ａと相互通信をするためには各ディジタル形保護／制御装置Ａが保有する任意のＩＰアドレス情報５を把握しておくことが必須である。したがって、何らかの理由（人為的なミス等）により任意のＩＰアドレス情報５が不明となった場合、外部ヒューマンインタフェース装置２とディジタル形保護／制御装置Ａ間の相互通信が不可能となる。
【００３１】
そこで、前記ディジタル形保護／制御装置Ａに固有の任意ＩＰアドレス情報５が不明となった場合、操作者が当該保護／制御装置Ａに備えたスイッチ部９を手動操作してＩＰアドレスリセット処理部１０を動作させることにより、第１のメモリ６に記憶されたＩＰアドレスリセット操作情報４を書き換える。
【００３２】
その後、ディジタル形保護／制御装置Ａの電源活殺或いは再起動操作を行うことにより、ＩＰ通信機能部３は起動時にＩＰアドレスリセット操作情報４のデータ内容を参照して、ＩＰアドレスのリセット操作の有無を判定する。
【００３３】
判定の結果、ＩＰアドレスのリセット操作が行われていた場合は、ＩＰ通信機能部３は、第２のメモリ８に記憶された固定ＩＰアドレス７をＩＰ通信網を介して使用するＩＰアドレス情報とし、外部ヒューマンインタフェース装置２へその情報を送信する。
【００３４】
この情報を受信した外部ヒューマンインタフェース装置２は、前記固有ＩＰアドレス７を当該ディジタル形保護／制御装置ＡのＩＰアドレス情報として管理する。この結果、外部ヒューマンインタフェース装置２は、当該固有のＩＰアドレス情報を利用して、任意のＩＰアドレス情報５が不明となったディジタル形保護／制御装置Ａと相互通信が可能となる。
【００３５】
この結果、再度、外部ヒューマンインタフェース装置２から任意のＩＰアドレスを新たに設定することが可能となり、以後、新たに設定した任意のＩＰアドレス情報５を指定してディジタル形保護／制御装置Ａと相互通信することが可能となる。なお、任意のＩＰアドレスの設定方法に関しては、既述したのと同様であるため、説明は割愛する。
【００３６】
また、ＩＰ通信機能部３は、上述したように、再度、任意のＩＰアドレスを設定したことをきっかけとして、第１のメモリ６に記憶されたＩＰアドレスリセット操作情報をリセットし、再度のリセット操作情報の書換え処理に備える。
【００３７】
以上説明したように、本発明のディジタル形保護／制御装置Ａは、外部ヒューマンインタフェース装置２との間で通信を行うために任意に設定可能なＩＰアドレス情報５が何らかの理由により不明となった場合、操作者がディジタル形保護／制御装置Ａに備えたスイッチ部９を手動操作することにより、当該保護／制御装置Ａに予め設定された固定ＩＰアドレス情報を利用して相互通信することが可能となる。
【００３８】
これにより、ディジタル形保護／制御装置Ａに設定した任意のＩＰアドレス情報が不明となった場合、操作者がディジタル形保護／制御装置Ａ本体の操作部を直接操作して、予め決められたＩＰアドレスを手入力することにより変更する必要はなく、ＩＰアドレスの誤入力といった問題の発生を確実に防止できる。
【産業上の利用可能性】
【００３９】
通信対象のＩＰアドレス情報が不明となった場合でも、通信対象に固有の固定ＩＰアドレスを利用して通信を迅速に再開することのできる保護機能に関する。
【符号の説明】
【００４０】
１  ＩＰ通信網
２  外部ヒューマンインタフェース装置
３  ＩＰ通信機能部
４  ＩＰアドレスリセット操作情報
５  外部接続用任意ＩＰアドレス情報
６  第１のメモリ
７  外部接続用固定ＩＰアドレス情報
８  第２のメモリ
９  スイッチ部
１０  ＩＰアドレスリセット処理部
Ａ  ディジタル形保護／制御装置
【図１】
2011091524.tif 000003